(57)【要約】【課題】地中梁底部の空洞を無くし、梁底型枠を撤去する必要がない、地中梁底部に用いられる枠構造体、及びこの枠構造体を用いた、地中梁底部の施工方法を提供する。【解決手段】基礎２１どうしをつなぐ地中梁２２の底を構成する地中梁底部１に用いられる枠構造体１０であって、前壁部３１と一対の側壁部３２とによって平面視コ字状に形成された枠本体３を備え、一対の側壁部３２それぞれは、前壁部３１側の下端部分に、捨コン枠４２に係合する切欠３２１を有し、枠本体３が、根伐領域に、前壁部３１が捨コン枠４２内に位置する向きで、切欠３２１を捨コン枠４２に係合させて設置されるものであり、枠本体３の上端部分には、地中梁用捨コンＬＣ２が形成されるものである。【選択図】図６
2020100948.tif 000002
【特許請求の範囲】
【請求項１】
基礎どうしをつなぐ地中梁の底を構成する地中梁底部に用いられる枠構造体であって、
前壁部と該前壁部の両端部分に対して直角にそれぞれ連なる一対の側壁部とによって平面視コ字状に形成された金網状の枠本体を備え、
前記一対の側壁部それぞれは、前記前壁部側の下端部分に、前記基礎が設けられるベース捨コン用の捨コン枠に係合する切欠を有し、前記枠本体が、該基礎の根伐領域に、該前壁部が該捨コン枠内に位置する向きで、該切欠を該捨コン枠に係合させて設置されるものであり、
前記枠本体の上端部分には、地中梁用捨コンが形成されるものであることを特徴とする枠構造体。
【請求項２】
前記枠本体は、一対のメッシュパネルからなり、
前記前壁部は、前記一対のメッシュパネルそれぞれについて、一方の端部部分を直角に折り曲げ、折り曲げた部分の全部又は一部を重ねて構成されたものであることを特徴とする請求項１記載の枠構造体。
【請求項３】
前記枠本体内の根伐底に打ち込まれる支持部材と、
前記支持部材と前記前壁部を連結する連結部材と、を備えるものであることを特徴とする請求項１又は２記載の枠構造体。
【請求項４】
請求項１〜３のうちいずれか１項記載の枠構造体を用いた、基礎どうしをつなぐ地中梁の底を構成する地中梁底部の施工方法であって、
前記基礎を設置する根伐領域を形成する根伐工程と、
前記根伐工程によって形成された根伐底において、後に施工される前記基礎のベース部よりも所定寸法外側に、前記捨コン枠を設置する捨コン枠設置工程と、
前記前壁部が前記捨コン枠内に位置する向きで、前記側壁部の前記切欠を該捨コン枠に係合させて前記枠構造体を設置する枠構造体設置工程と、
前記枠構造体設置工程によって設置した前記枠構造体に、該枠構造体の上端よりも所定高さ低い位置まで砕石を充填する砕石充填工程と、
前記砕石充填工程によって前記枠構造体に充填された砕石上にコンクリートを打設し地中梁用捨コンを形成すると共に、前記捨コン枠内にコンクリートを打設しベース捨コンを形成する打設工程と、を備えることを特徴とする地中梁底部の施工方法。
【請求項５】
前記枠構造体設置工程は、支持部材を前記枠本体内の根伐底に打ち込み、該支持部材と前記前壁部を連結部材によって連結する作業を含むことを特徴とする請求項４記載の地中梁底部の施工方法。
【請求項６】
前記枠構造体設置工程は、前記一対の側壁部における、前記根伐工程によって形成された法面側の端部を、該法面に倣って折り返す作業を含むことを特徴とする請求項４又は５記載の地中梁底部の施工方法。
【請求項７】
前記打設工程の後、前記側壁部の前記切欠が係合した前記捨コン枠を撤去する捨コン枠撤去工程を備えることを特徴とする請求項４〜６のうちいずれか１項記載の地中梁底部の施工方法。
【発明の詳細な説明】
【技術分野】
【０００１】
本発明は、基礎ベース部（フーチング）や柱からなる独立基礎等の基礎どうしをつなぐ地中梁の底を構成する地中梁底部に用いられる枠構造体、及びこの枠構造体を用いた、基礎どうしをつなぐ地中梁の底を構成する地中梁底部の施工方法に関する。
【背景技術】
【０００２】
工場、店舗或いは住宅等の構造物の基礎として地中梁工法が用いられている（例えば、特許文献１等参照）。図１３は、特許文献１等に示す、従来の地中梁工法を用いた基礎構造の一例を示している。なお、図１３では、梁底型枠９１と、梁底型枠９１を支持する支保工９２を撤去する前の様子を示している。
【０００３】
図１３に示すように、地中梁工法を用いた従来の基礎構造９０は、根伐底Ｇ１上にベース捨コン（捨コンクリート）ＬＣ１が形成され、ベース捨コンＬＣ１上に、基礎ベース部２１１及び柱２１２からなる基礎（独立基礎）２１が設けられている。また、基礎２１どうしは、地中梁２２によって連結されている。
【０００４】
この地中梁工法では、まず、地盤Ｇにおける、基礎２１を設置する箇所を掘削する根伐工程を実施する。次いで、根伐底Ｇ１上に、不図示の捨コン枠を設け、この捨コン枠内にコンクリートを打設し、ベース捨コンＬＣ１を形成する。また、地中梁２２を支持する梁底型枠９１と地中梁用捨コンＬＣ２を設ける。梁底型枠９１は、法面Ｇ２に設置された支保工９２によって支持され、地中梁用捨コンＬＣ２は、地盤Ｇ上に設けられた不図示の捨コン枠にコンクリートを打設することによって形成される。そして、基礎２１及び地中梁２２それぞれの鉄筋と型枠を組み、それぞれの型枠内にコンクリートを打設する。そして、所定期間養生した後、型枠を取り外す。ここで、梁底型枠９１と支保工９２は、地中梁２２における梁底のコンクリートが設計基準強度に達した後に撤去し、その後、埋め戻し作業を行うものである。
【先行技術文献】
【特許文献】
【０００５】
【特許文献１】特開平５−３１１６７５号公報
【発明の概要】
【発明が解決しようとする課題】
【０００６】
しかしながら、従来の地中梁工法では、梁底型枠９１の下方に空間Ｓが形成され、この空間Ｓ内に埋め戻し、転圧作業を行うことは困難である。一般的には、水締め（水を加えて地盤を固める作業）が行われているが、その効果は確認できておらず、地中梁２２の下方となる地中梁底部に空洞が残ってしまう場合も多く見られる。このため、将来的に地盤沈下の要因になってしまう虞がある。
【０００７】
また、梁底型枠９１や支保工９２の撤去作業は面倒である上、梁底型枠９１の一方の端部は地中梁用捨コンＬＣ２に載っているため、地中梁用捨コンＬＣ２を斫らないと梁底型枠９１の撤去ができず、作業が非常に煩雑となる。
【０００８】
さらに、型枠材料は産業廃棄物に該当するが、基礎２１及び地中梁２２へのコンクリートの打設から埋め戻しまでの期間が十分に確保できない場合が多く、梁底型枠９１を残したまま埋め戻し作業が行われてしまう虞もある。
【０００９】
本発明は上記事情に鑑み、地中梁底部の空洞を無くし、梁底型枠を撤去する必要がない、地中梁底部に用いられる枠構造体、及びこの枠構造体を用いた、地中梁底部の施工方法を提供することを目的とする。
【課題を解決するための手段】
【００１０】
上記目的を解決する本発明における枠構造体は、基礎どうしをつなぐ地中梁の底を構成する地中梁底部に用いられる枠構造体であって、
前壁部と該前壁部の両端部分に対して直角にそれぞれ連なる一対の側壁部とによって平面視コ字状に形成された金網状の枠本体を備え、
前記一対の側壁部それぞれは、前記前壁部側の下端部分に、前記基礎が設けられるベース捨コン用の捨コン枠に係合する切欠を有し、前記枠本体が、該基礎の根伐領域に、該前壁部が該捨コン枠内に位置する向きで、該切欠を該捨コン枠に係合させて設置されるものであり、
前記枠本体の上端部分には、地中梁用捨コンが形成されるものであることを特徴とする。
【００１１】
ここで、前記枠構造体は、根伐底に打ち込まれ、前記枠本体を、該根伐底に固定する縦筋等の固定部材や、対向する該縦筋どうしを連結するセパレータを有するものであってもよい。また、前記枠本体は、前記地中梁用捨コンの底側に、砕石が充填されるものであってもよい。さらに、前記枠本体は、ラス型枠によって構成されたものであってもよい。
【００１２】
本発明の枠構造体を地中梁底部に用いれば、前記枠本体内に、例えば砕石を充填し転圧等を行った後、前記地中梁用捨コンを形成することで地中梁底部の空洞を無くことができる。これに伴い、埋め戻し時の水締めも不要となる。また、従来の梁底型枠９１（図１３参照）が不要になる。これにより、煩雑な梁底型枠９１の撤去作業が不要になると共に、梁底型枠９１を残したまま埋め戻し作業が行われてしまう虞もなくなる。
【００１３】
また、本発明の型枠において、前記枠本体は、一対のメッシュパネルからなり、
前記前壁部は、前記一対のメッシュパネルそれぞれについて、一方の端部部分を直角に折り曲げ、折り曲げた部分の全部又は一部を重ねて構成されたものであることが好ましい。
【００１４】
こうすることで、前記枠本体を、ラス型枠等に用いられるメッシュパネルを用いた簡易な部材によって構成することができる。また、前記折り曲げた部分の重なりを変更することで、前記一対の側壁部の間隔を容易に調整することができる。
【００１５】
さらに、本発明の型枠において、前記枠本体内の根伐底に打ち込まれる支持部材と、
前記支持部材と前記前壁部を連結する連結部材と、を備える態様も好ましい態様の一つである。
【００１６】
ここで、前記支持部材は、Ｕ字状のフック筋であってもよいし、縦筋であってもよい。また、連結部材は、番線であってもよいし、ワイヤであってもよい。
【００１７】
前記支持部材と前記連結部材とによって前記前壁部とを支持する態様を採用すれば、該前壁部の強度が向上し、前記枠本体に砕石が充填され、さらにはコンクリートが打設されても、該前壁部の膨出を抑えることができる。この結果、前記前壁部と、前記基礎との間隔を所望に維持しやすくなる。
【００１８】
上記目的を解決する本発明における地中梁底部の施工方法は、請求項１〜３のうちいずれか１項記載の枠構造体を用いた、基礎どうしをつなぐ地中梁の底を構成する地中梁底部の施工方法であって、
前記基礎を設置する根伐領域を形成する根伐工程と、
前記根伐工程によって形成された根伐底において、後に施工される前記基礎のベース部よりも所定寸法外側に、前記捨コン枠を設置する捨コン枠設置工程と、
前記前壁部が前記捨コン枠内に位置する向きで、前記側壁部の前記切欠を該捨コン枠に係合させて前記枠構造体を設置する枠構造体設置工程と、
前記枠構造体設置工程によって設置した前記枠構造体に、該枠構造体の上端よりも所定高さ低い位置まで砕石を充填する砕石充填工程と、
前記砕石充填工程によって前記枠構造体に充填された砕石上にコンクリートを打設し地中梁用捨コンを形成すると共に、前記捨コン枠内にコンクリートを打設しベース捨コンを形成する打設工程と、を備えることを特徴とする。
【００１９】
本発明における地中梁底部の施工方法によれば、前記砕石充填工程によって前記枠本体内に砕石が充填されるため、地中梁底部の空洞を無くことができる。これに伴い、埋め戻し時の水締めも不要となる。また、煩雑な梁底型枠の撤去作業が不要となると共に、梁底型枠を残したまま埋め戻し作業が行われてしまう虞もなくなる。さらに、前記打設工程によって、前記基礎の近傍まで地中梁用捨コンが形成されるため、該基礎に近い位置に、前記地中梁の主筋を支持する、梁主筋受け金物やスペーサ等を設置することができる。この結果、前記地中梁の主筋が撓みにくくなり、地中梁底のかぶり厚が確保しやすくなる。
【００２０】
また、本発明における地中梁底部の施工方法において、前記枠構造体設置工程は、支持部材を前記枠本体内の根伐底に打ち込み、該支持部材と前記前壁部を連結部材によって連結する作業を含む施工方法であることが好ましい。
【００２１】
この施工方法を採用すれば、前記正面部壁と、前記基礎との間隔を所望に維持しやすくなる。
【００２２】
さらに、本発明における地中梁底部の施工方法において、前記枠構造体設置工程は、前記一対の側壁部における、前記根伐工程によって形成された法面側の端部を、該法面に倣って折り返す作業を含むであってもよい。
【００２３】
こうすることで、前記根伐工程で形成された前記法面に応じて、前記一対の側壁部を調整することが可能になる。
【００２４】
またさらに、本発明における地中梁底部の施工方法において、前記打設工程の後、前記側壁部の前記切欠が係合した前記捨コン枠を撤去する捨コン枠撤去工程を備える施工方法としてもよい。
【００２５】
前記枠本体内には、前記砕石充填工程によって砕石が充填されているため、前記捨コン枠を容易に撤去することができる。
【発明の効果】
【００２６】
本発明によれば、地中梁底部の空洞を無くし、梁底型枠を撤去する必要がない、地中梁底部に用いられる枠構造体、及びこの枠構造体を用いた、地中梁底部の施工方法を提供することができる。
【図面の簡単な説明】
【００２７】
【図１】本発明の地中梁底部の施工方法について、その工程の一例を示すフローチャートである。
【図２】図１に示す本発明の地中梁底部の施工方法における捨コン枠設置工程の前半の作業を説明するための斜視図である。
【図３】図１に示す本発明の地中梁底部の施工方法における捨コン枠設置工程の後半の作業を説明するための斜視図である。
【図４】図１に示す本発明の地中梁底部の施工方法における枠構造体設置工程の前半の作業を説明する斜視図である。
【図５】図１に示す本発明の地中梁底部の施工方法における枠構造体設置工程の後半の作業を説明するための斜視図である。
【図６】図５に示す枠構造体の１つを抜き出して拡大して示す斜視図である。
【図７】図６に示す枠構造体の平面図である。
【図８】図１に示す本発明の地中梁底部の施工方法における砕石充填工程を実施した状態を示す斜視図である。
【図９】図１に示す本発明の地中梁底部の施工方法における、打設工程と捨コン枠撤去工程を実施した状態を示す斜視図である。
【図１０】図９に示す地中梁底部の縦断面図である。
【図１１】基礎と地中梁を形成した基礎構造を示す斜視図である。
【図１２】図１１の平面図である。
【図１３】特許文献１等に示す、従来の地中梁工法を用いた基礎構造の一例を示す図である。
【発明を実施するための形態】
【００２８】
以下、図面を参照して本発明の実施の形態を説明する。本実施形態では、基礎に対して三方から地中梁が接続する態様を例に挙げて説明するが、本発明が適用される態様は特に限定されるものではなく、基礎に対して四方から地中梁が接続する態様であってもよいし、基礎に対して対向する二方から地中梁が接続する態様、或いは基礎に対して直交する二方から地中梁が接続する態様であってもよい。なお、以下の説明では、図１３に示す、従来の地中梁工法を用いた基礎構造における構成要素の名称と同じ名称の構成要素には、これまで用いた符号を付して説明し、重複する説明は省略することがある。
【００２９】
図１は、本発明の地中梁底部の施工方法について、その工程の一例を示すフローチャートである。図１に示すように、本実施形態における地中梁底部の施工方法は、根伐工程Ｓ１と、捨コン枠設置工程Ｓ２と、枠構造体設置工程Ｓ３と、砕石充填工程Ｓ４と、打設工程Ｓ５と、捨コン枠撤去工程Ｓ６と、を備えている。
【００３０】
図２は、図１に示す本発明の地中梁底部の施工方法における捨コン枠設置工程の前半の作業を説明するための斜視図である。図３は、図１に示す本発明の地中梁底部の施工方法における捨コン枠設置工程の後半の作業を説明するための斜視図である。
【００３１】
始めに、従来の地中梁工法と同様に、地盤Ｇにおける、基礎を設置する箇所を掘削する根伐工程Ｓ１を実施する。これにより、図２に示すように、根伐底Ｇ１と法面Ｇ２が形成される。なお、根伐底Ｇ１と法面Ｇ２とによって画定される領域が、本発明にいう根伐領域に相当する。次いで、図２に示すように、捨コン枠４２（図３参照）を設置しようとする箇所の四隅に木杭４１を打つ。次に、図３に示すように、木杭４１を基準にして捨コン枠４２を矩形状に設置して釘等で木杭４１に固定する。この捨コン枠４２は、ベース捨コンＬＣ１を打設するための枠であり、ベース捨コンＬＣ１に設置される基礎ベース部２１１（図１２参照）よりも、ベース捨コンＬＣ１の外周が所定寸法（例えば１００ｍｍ）大きくなるように設置する。そして、地盤Ｇには、法面Ｇ２に連なるように、所定の間隔をあけて一対の第２捨コン枠４３を設置する。この第２捨コン枠４３は、図１３に示す、従来の基礎構造９０と同様に、地中梁用捨コンＬＣ２を打設するためのものである。
【００３２】
図４は、図１に示す本発明の地中梁底部の施工方法における枠構造体設置工程の前半の作業を説明する斜視図であり、図５は、図１に示す本発明の地中梁底部の施工方法における枠構造体設置工程の後半の作業を説明するための斜視図である。
【００３３】
枠構造体設置工程Ｓ３では、図４に示すように、詳しくは後述する切欠３２１（図６参照）を捨コン枠４２に係合させて枠本体３を根伐領域に設置する。次いで、図５に示すように、縦筋５１等を用いて、枠本体３を固定する。
【００３４】
次に、図６及び図７を用いて、枠構造体設置工程と本発明の枠構造体の一例を詳細に説明する。
【００３５】
図６は、図５に示す枠構造体の１つを抜き出して拡大して示す斜視図である。図７は、図６に示す枠構造体の平面図である。これら図５〜図７に示す枠構造体が、本発明の枠構造体の一例に相当する。
【００３６】
図６及び図７に示すように、枠構造体１０は、枠本体３と、この枠本体３を根伐底Ｇ１に固定する、縦筋５１、フック筋５３や番線５４、さらには、セパレータ５２等を備えている。
【００３７】
枠本体３は、本実施形態では、一対のメッシュパネル３０，３０によって構成されている。すなわち、枠本体３は金網状のものである。メッシュパネル３０は、ラス型枠に用いられる汎用的なものを採用することができ、法面Ｇ２とは反対側（図６では左斜め下側、図７では左側）の端部部分が直角に折り曲げられ、この折り曲げられた部分の一部を重ねた状態で番線等によって固定されている。なお、折り曲げられた部分の全部を重ねてもよい。この重ねられた部分を含む壁部が、前壁部３１であり、枠本体３は、前壁部３１と、前壁部３１の両端部分に対して直角にそれぞれ連なる一対の側壁部３２，３２とによって平面視コ字状に形成されている。前壁部３１の重なりを変更することで、枠本体３の幅（一対の側壁部３２，３２の間隔）を容易に調整することができる。一対の側壁部３２，３２それぞれは、前壁部３１側の下端部分に切欠３２１を有し、この切欠３２１が捨コン枠に係合し、前壁部３１が捨コン枠４２内に位置している。なお、切欠３２１を形成する位置は、捨コン枠４２から前壁部３１の前面までの距離ｄ１が所定距離（例えば５０ｍｍ）になるように設定される。
【００３８】
また、一対の側壁部３２，３２それぞれは、法面Ｇ２側の端部が、法面Ｇ２に倣って折り返されて折曲部３２２が形成されている。折曲部３２２を形成する作業は、図６に示す、捨コン枠４２から法面Ｇ２の下端までの距離ｄ２や、法面Ｇ２の角度等に応じて、側壁部３２における法面Ｇ２側の端部を折り曲げればよい。こうすることで、枠本体３を、根伐工程Ｓ１で形成された法面Ｇ２に容易に対応させることができる。
【００３９】
側壁部３２は、縦筋５１によって根伐底Ｇ１に固定されている。また、幅方向に対向する縦筋５１間にはセパレータ５２が架け渡され、一対の側壁部３２，３２間の間隔が所定に維持されている。
【００４０】
枠本体３内の根伐底Ｇ１にはＵ字状のフック筋５３が打ち込まれ、このフック筋５３と前壁部３１とが番線５４によって連結されている。フック筋５３は、本発明における支持部材の一例に相当するものであり、番線５４は、本発明における連結部材の一例に相当するものである。これにより、前壁部３１の強度が向上し、後述するように、枠本体３に砕石が充填され、さらにはコンクリートが打設されても、前壁部３１の膨出を抑えることができる。なお、必要に応じて、側壁部３２と第２捨コン枠４３とを、番線等で結束する。
【００４１】
図８は、図１に示す本発明の地中梁底部の施工方法における砕石充填工程を実施した状態を示す斜視図である。
【００４２】
砕石充填工程Ｓ４では、根伐領域に設置した枠構造体１０の枠本体３内に砕石Ｃｒを充填し、必要に応じて転圧を行う。ここで、砕石Ｃｒは、地中梁用捨コンＬＣ２（図９参照）のコンクリートを打設するための空間が枠本体３の上端部分に残るように充填される。すなわち、砕石充填工程Ｓ４は、枠構造体設置工程Ｓ３によって設置した枠構造体１０に、枠構造体１０の上端よりも所定高さ低い位置まで砕石を充填する工程である。なお、砕石は、根伐工程Ｓ１を実施する際に、枠構造体１０を設置する箇所の横に仮置きしておけばよい。
【００４３】
図９は、図１に示す本発明の地中梁底部の施工方法における、打設工程と捨コン枠撤去工程を実施した状態を示す斜視図である。
【００４４】
打設工程Ｓ５では、砕石充填工程Ｓ４によって枠構造体１０に充填された砕石Ｃｒ上にコンクリートを打設するとともに、第２捨コン枠４３（図３参照）間にもコンクリートを打設する。所定の養生期間経過後、捨コン枠４２と第２捨コン枠４３（図８参照）を撤去し、図９に示すように、ベース捨コンＬＣ１と地中梁用捨コンＬＣ２を形成する。これにより、枠構造体１０、砕石Ｃｒ及び地中梁用捨コンＬＣ２からなる地中梁底部１が形成される。なお、地中梁用捨コンＬＣ２は、隣り合う基礎まで連続しているが、図９では、地中梁用捨コンＬＣ２の途中部分までを示している。
【００４５】
図１０は、図９に示す地中梁底部の縦断面図である。なお、図１０では、捨コン枠撤去工程を実施する前の状態を示している。
【００４６】
図１０に示すように、地中梁用捨コンＬＣ２の下方は砕石Ｃｒが充填されているため、図１３に示す、従来の地中梁工法のように、梁底型枠９１の下方に形成された空間Ｓ内に埋め戻す必要がなく、将来的に地盤沈下の要因ともなり得る空洞が残ってしまう虞もない。また、捨コン枠４２は、砕石Ｃｒによって覆われるため、その撤去作業が容易になる。さらに、前述したように、枠本体３の前壁部３１が、フック筋５３及び番線５４によって支持されているため、前方への膨出が抑制される。
【００４７】
図１１は、基礎と地中梁を形成した基礎構造を示す斜視図であり、図１２は、図１１の平面図である。
【００４８】
基礎構造９０は、従来と同様の工程によって形成されるため詳細は省略するが、ベース捨コンＬＣ１と地中梁用捨コンＬＣ２に墨出しを行い、基礎ベース部２１１、柱２１２及び地中梁２２の鉄筋と型枠を組みコンクリートを打設することで実施される。ここで、本実施携帯では、基礎２１の近傍まで地中梁用捨コンＬＣ２が形成されるため、基礎２１に近い位置に、地中梁２２の主筋を支持する、梁主筋受け金物やスペーサ等を設置することができる。この結果、地中梁２２の主筋が撓みにくくなり、地中梁底のかぶり厚が確保しやすくなる。また、図１２に示すように、基礎ベース部２１１は、折返部４４ａを有する枠体４４を用いて、地中梁用捨コンＬＣ２と連結する連結部２１１ａを有する形状に形成される。本実施形態では、連結部２１１ａの厚みＴｈは、７０ｍｍ以下に設定されており、無筋で対応可能となる。なお、連結部２１１ａの厚みＴｈが７０ｍｍを超える場合には、スタイロフォーム（押出発泡ポリススチレン断熱材）等のアンコ材（詰め物）を取り付ければよい。さらに、連結部２１１ａの厚みＴｈを、枠体の板厚以下（例えば３０ｍｍ以下）にできれば、図１２において、円で囲んで示すように、折返部のないＬ字状の枠体４４’を用いて基礎ベース部２１１を打設することも可能になる。このように、地中梁底部１の先端を構成する枠本体３の前壁部３１（図１０参照）の位置設定が重要になるが、前述したように、本実施形態では、フック筋５３及び番線５４によって前壁部３１が支持されているため、前壁部３１の膨出が抑えられている。しかも、図６に示すように、枠本体３の切欠３２１に捨コン枠４２を係合させることで、捨コン枠４２から前壁部３１の前面までの距離ｄ１が所定距離（例えば５０ｍｍ）に設定される。これらにより、前壁部３１の位置設定が容易になる。
【００４９】
最後に、根伐領域を埋め戻す。本実施形態では、図１３に示す、従来の従来の地中梁工法における、梁底型枠９１や支保工９２を用いていない。このため、面倒な撤去作業が不要になる。また、梁底型枠９１を残したまま埋め戻し作業が行われてしまう虞もない。
【００５０】
本発明によれば、地中梁底部の空洞を無くし、梁底型枠を撤去する必要がない、地中梁底部に用いられる枠構造体、及びこの枠構造体を用いた、地中梁底部の施工方法を提供することができる。
【００５１】
本発明は前述の実施形態に限定されるものではなく、特許請求の範囲に記載した範囲で種々の変更を行うことができる。
【符号の説明】
【００５２】
１  地中梁底部
１０  枠構造体
２１  基礎
２１１  基礎ベース部
２１１ａ  連結部
２１２  柱
２２  地中梁
３  枠本体
３１  前壁部
３２  側壁部
３２１  切欠
３２２  折曲部
４２  捨コン枠
４３  第２捨コン枠
５１  縦筋
５２  セパレータ
５３  フック筋（支持部材）
５４  番線（連結部材）
９０  基礎構造
９１  梁底型枠
９２  支保工
Ｇ  地盤
Ｇ１  根伐底
Ｇ２  法面
ＬＣ１  ベース捨コン
ＬＣ２  地中梁用捨コン
Ｓ  空間
Ｃｒ  砕石
Ｔｈ  厚さ
Ｓ１  根伐工程
Ｓ２  捨コン枠設置工程
Ｓ３  枠構造体設置工程
Ｓ４  砕石充填工程
Ｓ５  打設工程
Ｓ６  捨コン枠撤去工程
【図１】
2020100948.tif 000003
【図２】
2020100948.tif 000004
【図３】
2020100948.tif 000005
【図４】
2020100948.tif 000006
【図５】
2020100948.tif 000007
【図６】
2020100948.tif 000008
【図７】
2020100948.tif 000009
【図８】
2020100948.tif 000010
【図９】
2020100948.tif 000011
【図１０】
2020100948.tif 000012
【図１１】
2020100948.tif 000013
【図１２】
2020100948.tif 000014
【図１３】
2020100948.tif 000015
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
基礎どうしをつなぐ地中梁の底を構成する地中梁底部に用いられる枠構造体であって、
前壁部と該前壁部の両端部分に対して直角にそれぞれ連なる一対の側壁部とによって平面視コ字状に形成された金網状の枠本体を備え、
前記一対の側壁部それぞれは、前記前壁部側の下端部分に、前記基礎が設けられるベース捨コン用の捨コン枠に係合する切欠を有し、前記枠本体が、該基礎における、根伐底と法面とによって画定される根伐領域に、該前壁部が該捨コン枠内に位置する向きで、該切欠を該捨コン枠に係合させて設置されるものであり、
前記枠本体と前記法面によって形成される空間が、充填物によって充填されるものであり、
前記枠本体の上端部分には、地中梁用捨コンが形成されるものであることを特徴とする枠構造体。
【請求項２】
前記枠本体は、一対のメッシュパネルからなり、
前記前壁部は、前記一対のメッシュパネルそれぞれについて、一方の端部部分を直角に折り曲げ、折り曲げた部分の全部又は一部を重ねて構成されたものであることを特徴とする請求項１記載の枠構造体。
【請求項３】
前記枠本体内の根伐底に打ち込まれる支持部材と、
前記支持部材と前記前壁部を連結する連結部材と、を備えるものであることを特徴とする請求項１又は２記載の枠構造体。
【請求項４】
請求項１〜３のうちいずれか１項記載の枠構造体を用いた、基礎どうしをつなぐ地中梁の底を構成する地中梁底部の施工方法であって、
前記基礎を設置する根伐領域を形成する根伐工程と、
前記根伐工程によって形成された根伐底において、後に施工される前記基礎のベース部よりも所定寸法外側に、前記捨コン枠を設置する捨コン枠設置工程と、
前記前壁部が前記捨コン枠内に位置する向きで、前記側壁部の前記切欠を該捨コン枠に係合させて前記枠構造体を設置する枠構造体設置工程と、
前記枠構造体設置工程によって設置した前記枠構造体に、該枠構造体の上端よりも所定高さ低い位置まで砕石を充填する砕石充填工程と、
前記砕石充填工程によって前記枠構造体に充填された砕石上にコンクリートを打設し地中梁用捨コンを形成すると共に、前記捨コン枠内にコンクリートを打設しベース捨コンを形成する打設工程と、を備えることを特徴とする地中梁底部の施工方法。
【請求項５】
前記枠構造体設置工程は、支持部材を前記枠本体内の根伐底に打ち込み、該支持部材と前記前壁部を連結部材によって連結する作業を含むことを特徴とする請求項４記載の地中梁底部の施工方法。
【請求項６】
前記打設工程の後、前記側壁部の前記切欠が係合した前記捨コン枠を撤去する捨コン枠撤去工程を備えることを特徴とする請求項４又は５記載の地中梁底部の施工方法。
【手続補正２】
【補正対象書類名】明細書
【補正対象項目名】００１０
【補正方法】変更
【補正の内容】
【００１０】
上記目的を解決する本発明における枠構造体は、基礎どうしをつなぐ地中梁の底を構成する地中梁底部に用いられる枠構造体であって、
前壁部と該前壁部の両端部分に対して直角にそれぞれ連なる一対の側壁部とによって平面視コ字状に形成された金網状の枠本体を備え、
前記一対の側壁部それぞれは、前記前壁部側の下端部分に、前記基礎が設けられるベース捨コン用の捨コン枠に係合する切欠を有し、前記枠本体が、該基礎における、根伐底と法面とによって画定される根伐領域に、該前壁部が該捨コン枠内に位置する向きで、該切欠を該捨コン枠に係合させて設置されるものであり、
前記枠本体と前記法面によって形成される空間が、充填物によって充填されるものであり、
前記枠本体の上端部分には、地中梁用捨コンが形成されるものであることを特徴とする。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００３８
【補正方法】変更
【補正の内容】
【００３８】
また、一対の側壁部３２，３２それぞれは、法面Ｇ２側の端部が折り返されて折曲部３２２が形成されている。折曲部３２２を形成する作業は、図６に示す、捨コン枠４２から法面Ｇ２の下端までの距離ｄ２や、法面Ｇ２の角度等に応じて、側壁部３２における法面Ｇ２側の端部を折り曲げればよい。こうすることで、枠本体３を、根伐工程Ｓ１で形成された法面Ｇ２に容易に対応させることができる。